(57)【要約】【課題】複数の商品の組み合わせに関連する情報を容易に大型情報表示装置に表示させることができる。【解決手段】ＥＳＬサーバ３は、ハンディ端末６から送信される情報を受信し、商品を一意に特定する情報と、商品を関連付ける大型電子棚札端末２を一意に特定する情報とに基づいて、大型電子棚札端末２を一意に特定する情報と、当該大型電子棚札端末２に関連付けられている商品を一意に特定する情報とを関連付けて記憶する。また、ＥＳＬサーバ３は、複数のカテゴリの階層構造を示す情報と、カテゴリに属する商品を特定する情報と、カテゴリに関連する情報とを記憶する。また、ＥＳＬサーバ３は、大型電子棚札端末２に関連付けられている商品全てが属するカテゴリのうち最下層の前記カテゴリに関連する情報を、大型電子棚札端末２に表示させる。【選択図】図１
2011096024.tif 000002
【特許請求の範囲】
【請求項１】
大型情報表示装置と、管理装置と、ハンディ端末とを含む情報表示システムにおいて、
前記ハンディ端末は、
商品を一意に特定する情報の入力と、前記商品を関連付ける前記大型情報表示装置を一意に特定する情報の入力とを受け付ける入力部と、
前記商品を一意に特定する情報と、前記商品を関連付ける前記大型情報表示装置を一意に特定する情報とを前記管理装置に送信する送信部と、
を備え、
前記管理装置は、
前記送信部から送信される情報を受信する管理装置受信部と、
前記管理装置受信部が受信した前記商品を一意に特定する情報と、前記商品を関連付ける前記大型情報表示装置を一意に特定する情報とに基づいて、前記大型情報表示装置を一意に特定する情報と、当該大型情報表示装置に関連付けられている前記商品を一意に特定する情報とを関連付けて記憶する関連付け情報記憶部と、
複数のカテゴリの階層構造を示す情報と、前記カテゴリに属する前記商品を特定する情報と、前記カテゴリに関連する情報とを記憶するカテゴリ情報記憶部と、
前記大型情報表示装置に関連付けられている前記商品全てが属する前記カテゴリのうち最下層の前記カテゴリに関連する情報を、当該大型情報表示装置に表示させる管理装置制御部と、
を備えたことを特徴とする情報表示システム。
【請求項２】
前記管理装置は、
前記大型情報表示装置の設置位置を示す情報と、当該設置位置に関連する表示情報とを記憶する設置位置情報記憶部
を備え、
前記管理装置制御部は、前記設置位置情報記憶部に記憶されている前記設置位置に設置されている前記大型情報表示装置に、当該設置位置に関連する表示情報を表示させる
ことを特徴とする請求項１に記載の情報表示システム。
【請求項３】
前記管理装置制御部は、前記大型情報表示装置に関連付けられている前記商品全てが属する前記カテゴリのうち、最下層の前記カテゴリに関連する情報が複数存在する場合、当該カテゴリに関連する情報を一定時間毎に１つずつ当該大型情報表示装置に表示させる
ことを特徴とする請求項１または請求項２のいずれか１項に記載の情報表示システム。
【請求項４】
前記入力部は、前記カテゴリ情報記憶部が記憶する、前記大型情報表示装置に関連付けられている前記商品全てが属する前記カテゴリのうち、最下層の前記カテゴリに関連する情報が複数存在する場合、いずれか１つの当該カテゴリに関連する情報を指定する表示指定情報の入力を受け付け、
前記送信部は、前記入力部が受け付けた前記表示指定情報を前記管理装置に送信し、
前記管理装置制御部は、前記表示指定情報で指定された前記カテゴリに関連する情報を前記大型情報表示装置に表示させる
ことを特徴とする請求項１または請求項２のいずれか１項に記載の情報表示システム。
【請求項５】
大型情報表示装置と、管理装置と、ハンディ端末とを含む情報表示システムに含まれる管理装置であって、
前記ハンディ端末から送信される商品を一意に特定する情報と、前記商品を関連付ける前記大型情報表示装置を一意に特定する情報とを受信する管理装置受信部と、
前記管理装置受信部が受信した前記商品を一意に特定する情報と、前記商品を関連付ける前記大型情報表示装置を一意に特定する情報とに基づいて、前記大型情報表示装置を一意に特定する情報と、当該大型情報表示装置に関連付けられている前記商品を一意に特定する情報とを関連付けて記憶する関連付け情報記憶部と、
複数のカテゴリの階層構造を示す情報と、前記カテゴリに属する前記商品を特定する情報と、前記カテゴリに関連する情報とを記憶するカテゴリ情報記憶部と、
前記大型情報表示装置に関連付けられている前記商品全てが属する前記カテゴリのうち最下層の前記カテゴリに関連する情報を、当該大型情報表示装置に表示させる管理装置制御部と、
を備えたことを特徴とする管理装置。
【請求項６】
前記大型情報表示装置の設置位置を示す情報と、当該設置位置に関連する表示情報とを記憶する設置位置情報記憶部
を備え、
前記管理装置制御部は、前記設置位置情報記憶部に記憶されている前記設置位置に設置されている前記大型情報表示装置に、当該設置位置に関連する表示情報を表示させる
ことを特徴とする請求項５に記載の管理装置。
【請求項７】
前記管理装置制御部は、前記大型情報表示装置に関連付けられている前記商品全てが属する前記カテゴリのうち、最下層の前記カテゴリに関連する情報が複数存在する場合、当該カテゴリに関連する情報を一定時間毎に１つずつ当該大型情報表示装置に表示させる
ことを特徴とする請求項５または請求項６のいずれか１項に記載の管理装置。
【請求項８】
前記管理装置管理装置受信部は、前記カテゴリ情報記憶部が記憶する、前記大型情報表示装置に関連付けられている前記商品全てが属する前記カテゴリのうち、最下層の前記カテゴリに関連する情報が複数存在する場合、いずれか１つの当該カテゴリに関連する情報を指定する表示指定情報を前記ハンディ端末から受信し、
前記管理装置制御部は、前記表示指定情報で指定された前記カテゴリに関連する情報を前記大型情報表示装置に表示させる
ことを特徴とする請求項５または請求項６のいずれか１項に記載の管理装置。
【請求項９】
前記大型情報表示装置は大型電子棚札端末である
ことを特徴とする請求項１から請求項４のいずれか１項に記載の情報表示システム。
【発明の詳細な説明】
【技術分野】
【０００１】
本発明は、情報表示システムおよび管理装置に関する。
【背景技術】
【０００２】
ハンディ端末を用いて、商品に付されている商品コードと、電子棚札端末に付されている装置コードとを読み取り、読み取った商品コードと装置コードとに基づいて商品情報ファイルを作成する電子棚札システムが知られている（例えば、特許文献１参照）。
【０００３】
また、ＥＳＬ（Ｅｌｅｃｔｒｏｎｉｃ  ｓｈｅｌｆ  ｌａｂｅｌ、電子棚札）管理サーバが、電子棚札端末と大型電子棚札端末とを識別して、電子棚札端末と大型電子棚札端末とに適した表示データを各端末に送信し、電子棚札端末と大型電子棚札端末とがそれぞれ送信された表示データに基づいた表示を行うことが知られている（例えば、特許文献２参照）。
【０００４】
また、特定の商品を説明する商品情報と、この商品が陳列されている位置に配置された電子棚札端末および掲示板に配置された電子棚札端末とを関連付けることにより、複数の電子棚札端末に同一の商品情報を表示させる電子棚札システムが知られている（例えば、特許文献３参照）。
【先行技術文献】
【特許文献】
【０００５】
【特許文献１】特開２００７−２２２６４５号公報
【特許文献２】特開２００３−０５８９４８号公報
【特許文献３】特開２００７−２２６７１３号公報
【発明の概要】
【発明が解決しようとする課題】
【０００６】
しかしながら、上記の技術では、商品単体に関連する情報を大型電子棚札端末に表示させることはできるが、複数の商品の組み合わせに関連する情報を容易に大型電子棚札端末に表示させることができないという問題がある。
【０００７】
本発明は上記の点に鑑みてなされたものであり、複数の商品の組み合わせに関連する情報を容易に大型情報表示装置に表示させることができる情報表示システムおよび管理装置を提供することを目的とする。
【課題を解決するための手段】
【０００８】
本発明は、大型情報表示装置と、管理装置と、ハンディ端末とを含む情報表示システムにおいて、前記ハンディ端末は、商品を一意に特定する情報の入力と、前記商品を関連付ける前記大型情報表示装置を一意に特定する情報の入力とを受け付ける入力部と、前記商品を一意に特定する情報と、前記商品を関連付ける前記大型情報表示装置を一意に特定する情報とを前記管理装置に送信する送信部と、を備え、前記管理装置は、前記送信部から送信される情報を受信する管理装置受信部と、前記管理装置受信部が受信した前記商品を一意に特定する情報と、前記商品を関連付ける前記大型情報表示装置を一意に特定する情報とに基づいて、前記大型情報表示装置を一意に特定する情報と、当該大型情報表示装置に関連付けられている前記商品を一意に特定する情報とを関連付けて記憶する関連付け情報記憶部と、複数のカテゴリの階層構造を示す情報と、前記カテゴリに属する前記商品を特定する情報と、前記カテゴリに関連する情報とを記憶するカテゴリ情報記憶部と、前記大型情報表示装置に関連付けられている前記商品全てが属する前記カテゴリのうち最下層の前記カテゴリに関連する情報を、当該大型情報表示装置に表示させる管理装置制御部と、を備えたことを特徴とする情報表示システムである。
【０００９】
この構成により、ハンディ端末の入力部は、商品を一意に特定する情報の入力と、商品を関連付ける大型情報表示装置を一意に特定する情報の入力とを受け付ける。また、ハンディ端末の送信部は、商品を一意に特定する情報と、商品を関連付ける大型情報表示装置を一意に特定する情報とを管理装置に送信する。また、管理装置の管理装置受信部は、送信部から送信される情報を受信する。また、管理装置の関連付け情報記憶部は、送信部から送信される情報を受信する。また、管理装置の関連付け情報記憶部は、管理装置受信部が受信した商品を一意に特定する情報と、商品を関連付ける大型情報表示装置を一意に特定する情報とに基づいて、大型情報表示装置を一意に特定する情報と、当該大型情報表示装置に関連付けられている商品を一意に特定する情報とを関連付けて記憶する。また、管理装置のカテゴリ情報記憶部は、複数のカテゴリの階層構造を示す情報と、カテゴリに属する商品を特定する情報と、カテゴリに関連する情報とを記憶する。また、管理装置の管理装置制御部は、大型情報表示装置に関連付けられている商品全てが属するカテゴリのうち最下層の前記カテゴリに関連する情報を、当該大型情報表示装置に表示させる。
【００１０】
すなわち、管理装置の関連付け情報記憶部は、ハンディ端末が入力を受け付けた商品を一意に特定する情報と、この商品を関連付ける大型情報表示装置を一意に特定する情報とを関連付けて記憶する。また、管理装置の管理装置制御部は、大型情報表示装置に関連付けられている商品全てが属するカテゴリのうち最下層のカテゴリに関連する情報を、当該大型情報表示装置に表示させる。これにより、複数の商品の組み合わせに関連する情報を容易に大型電子棚札端末に表示させることができる。
【００１１】
また、本発明の情報表示システムにおいて、前記管理装置は、前記大型情報表示装置の設置位置を示す情報と、当該設置位置に関連する表示情報とを記憶する設置位置情報記憶部を備え、前記管理装置制御部は、前記設置位置情報記憶部に記憶されている前記設置位置に設置されている前記大型情報表示装置に、当該設置位置に関連する表示情報を表示させることを特徴とする。
【００１２】
この構成により、管理装置の設置位置情報記憶部は、大型情報表示装置の設置位置を示す情報と、当該設置位置に関連する表示情報とを記憶する。また、管理装置の管理装置制御部は、設置位置情報記憶部に記憶されている設置位置に設置されている大型情報表示装置に、当該設置位置に関連する表示情報を表示させる。
【００１３】
これにより、特定の位置に設置されている大型情報表示装置に、設置位置に関連する表示情報を表示させることができる。
【００１４】
また、本発明の情報表示システムにおいて、前記管理装置制御部は、前記大型情報表示装置に関連付けられている前記商品全てが属する前記カテゴリのうち、最下層の前記カテゴリに関連する情報が複数存在する場合、当該カテゴリに関連する情報を一定時間毎に１つずつ当該大型情報表示装置に表示させることを特徴とする。
【００１５】
この構成により、管理装置の管理装置制御部は、大型情報表示装置に関連付けられている商品全てが属するカテゴリのうち、最下層の前記カテゴリに関連する情報が複数存在する場合、当該カテゴリに関連する情報を一定時間毎に１つずつ当該大型情報表示装置に表示させる。これにより、カテゴリに関連する情報が複数存在する場合においても、全てのカテゴリに関連する情報を表示することができる。
【００１６】
また、本発明の情報表示システムにおいて、前記入力部は、前記カテゴリ情報記憶部が記憶する、前記大型情報表示装置に関連付けられている前記商品全てが属する前記カテゴリのうち、最下層の前記カテゴリに関連する情報が複数存在する場合、いずれか１つの当該カテゴリに関連する情報を指定する表示指定情報の入力を受け付け、前記送信部は、前記入力部が受け付けた前記表示指定情報を前記管理装置に送信し、前記管理装置制御部は、前記表示指定情報で指定された前記カテゴリに関連する情報を前記大型情報表示装置に表示させることを特徴とする。
【００１７】
この構成により、ハンディ端末の入力部は、カテゴリ情報記憶部が記憶する、大型情報表示装置に関連付けられている商品全てが属する前記カテゴリのうち、最下層のカテゴリに関連する情報が複数存在する場合、いずれか１つの当該カテゴリに関連する情報を指定する表示指定情報の入力を受け付る。また、ハンディ端末の送信部は、入力部が受け付けた表示指定情報を管理装置に送信する。また、管理装置の管理装置制御部は、表示指定情報で指定されたカテゴリに関連する情報を大型情報表示装置に表示させる。これにより、カテゴリに関連する情報が複数存在する場合においても、大型情報表示装置に表示させるカテゴリに関連する情報を任意に選択することができる。
【００１８】
また、本発明は、大型情報表示装置と、管理装置と、ハンディ端末とを含む情報表示システムに含まれる管理装置であって、前記ハンディ端末から送信される商品を一意に特定する情報と、前記商品を関連付ける前記大型情報表示装置を一意に特定する情報とを受信する管理装置受信部と、前記管理装置受信部が受信した前記商品を一意に特定する情報と、前記商品を関連付ける前記大型情報表示装置を一意に特定する情報とに基づいて、前記大型情報表示装置を一意に特定する情報と、当該大型情報表示装置に関連付けられている前記商品を一意に特定する情報とを関連付けて記憶する関連付け情報記憶部と、複数のカテゴリの階層構造を示す情報と、前記カテゴリに属する前記商品を特定する情報と、前記カテゴリに関連する情報とを記憶するカテゴリ情報記憶部と、前記大型情報表示装置に関連付けられている前記商品全てが属する前記カテゴリのうち最下層の前記カテゴリに関連する情報を、当該大型情報表示装置に表示させる管理装置制御部と、を備えたことを特徴とする管理装置である。
【００１９】
また、本発明は、前記大型情報表示装置の設置位置を示す情報と、当該設置位置に関連する表示情報とを記憶する設置位置情報記憶部を備え、前記管理装置制御部は、前記設置位置情報記憶部に記憶されている前記設置位置に設置されている前記大型情報表示装置に、当該設置位置に関連する表示情報を表示させることを特徴とする管理装置である。
【００２０】
また、本発明の管理装置において、前記管理装置制御部は、前記大型情報表示装置に関連付けられている前記商品全てが属する前記カテゴリのうち、最下層の前記カテゴリに関連する情報が複数存在する場合、当該カテゴリに関連する情報を一定時間毎に１つずつ当該大型情報表示装置に表示させることを特徴とする。
【００２１】
また、本発明の管理装置において、前記管理装置管理装置受信部は、前記カテゴリ情報記憶部が記憶する、前記大型情報表示装置に関連付けられている前記商品全てが属する前記カテゴリのうち、最下層の前記カテゴリに関連する情報が複数存在する場合、いずれか１つの当該カテゴリに関連する情報を指定する表示指定情報を前記ハンディ端末から受信し、前記管理装置制御部は、前記表示指定情報で指定された前記カテゴリに関連する情報を前記大型情報表示装置に表示させることを特徴とする。
【００２２】
また、本発明の情報表示システムにおいて、前記大型情報表示装置は大型電子棚札端末であることを特徴とする。
【発明の効果】
【００２３】
本発明によれば、管理装置の関連付け情報記憶部は、ハンディ端末が入力を受け付けた商品を一意に特定する情報と、この商品を関連付ける大型情報表示装置を一意に特定する情報とを関連付けて記憶する。また、管理装置の管理装置制御部は、大型情報表示装置に関連付けられている商品全てが属するカテゴリのうち最下層のカテゴリに関連する情報を、当該大型情報表示装置に表示させる。これにより、複数の商品の組み合わせに関連する情報を容易に大型情報表示装置に表示させることができる。
【図面の簡単な説明】
【００２４】
【図１】本発明の第１の実施形態における電子棚札システムを含んだ販売店システムの構成を示したブロック図である。
【図２】本発明の第１の実施形態における電子棚札端末の構成を示したブロック図である。
【図３】本発明の第１の実施形態における大型電子棚札端末の構成を示したブロック図である。
【図４】本発明の第１の実施形態におけるＥＳＬサーバの構成を示したブロック図である。
【図５】本発明の第１の実施形態におけるハンディ端末の構成を示したブロック図である。
【図６】本発明の第１の実施形態における棚の外観を示した概略図である。
【図７】本発明の第１の実施形態におけるカテゴリの階層構造を示した階層構造図である。
【図８】本発明の第１の実施形態における管理情報データベースのデータ構造を示した概略図である。
【図９】本発明の第１の実施形態におけるカテゴリ情報データベースのデータ構造を示した概略図である。
【図１０】本発明の第１の実施形態における上位カテゴリ１情報データベースのデータ構造を示した概略図である。
【図１１】本発明の第１の実施形態における上位カテゴリ２情報データベースのデータ構造を示した概略図である。
【図１２】本発明の第１の実施形態における上位カテゴリ３情報データベースのデータ構造を示した概略図である。
【図１３】本発明の第１の実施形態において、通常情報表示画面を表示している場合の大型電子棚札端末の外観を示した概略図である。
【図１４】本発明の第１の実施形態において、関連詳細情報表示画面を表示している場合の大型電子棚札端末の外観を示した概略図である。
【図１５】本発明の第１の実施形態におけるＥＳＬサーバが、大型電子棚札端末に関連詳細情報を表示させる手順を示したフローチャートである。
【図１６】本発明の第２の実施形態における大型棚札情報データベースのデータ構造を示した概略図である。
【図１７】本発明の第２の実施形態において、バーゲン情報表示画面を表示している場合の大型電子棚札端末の外観を示した概略図である。
【図１８】本発明の第２の実施形態におけるＥＳＬサーバが、大型電子棚札端末２に設置位置に関連する表示情報を表示させる手順を示したフローチャートである。
【図１９】関連詳細情報表示画面を表示している場合の大型電子棚札端末の外観を示した概略図である。
【図２０】関連詳細情報選択画面を表示している場合の大型電子棚札端末の外観を示した概略図である。
【発明を実施するための形態】
【００２５】
（第１の実施形態）
以下、図面を参照しながら本発明の第１の実施形態について説明する。図１は、本実施形態の電子棚札システムを含んだ販売店システムの構成を示したブロック図である。図示する例では、販売店システムは、電子棚札システムと、ＰＯＳ（Ｐｏｉｎｔ  ｏｆ  ｓａｌｅｓ）サーバ７と、ＰＯＳレジスタ８とを備えている。また、電子棚札システムは、電子棚札端末１と、大型電子棚札端末２（大型情報表示装置）と、ＥＳＬ（Ｅｌｅｃｔｒｏｎｉｃ  ｓｈｅｌｆ  ｌａｂｅｌ、電子棚札）サーバ３（管理装置）と、アクセスポイント４と、中継機５−１〜５−３と、ハンディ端末６とを備えている。
【００２６】
なお、図示する例では、電子棚札システムは、３つの電子棚札端末１と、２つの大型電子棚札端末２と、３つの中継機５−１〜５−３と、１つのハンディ端末６とを備えているが、電子棚札システムは、更に多くの電子棚札端末１と、大型電子棚札端末２と、中継機５−１〜５−３と、ハンディ端末６とを備えることができる。また、当然のことながら、電子棚札システムが備える電子棚札端末１と、大型電子棚札端末２と、中継機５−１〜５−３との数は、図示する例より少なくてもよい。
【００２７】
ＥＳＬサーバ３とＰＯＳサーバ７とはバックヤード１００に設置されている。電子棚札端末１と、大型電子棚札端末２と、アクセスポイント４と、中継機５−１〜５−３と、ＰＯＳレジスタ８とは店舗２００に設置されている。
【００２８】
ＥＳＬサーバ３と、アクセスポイント４、中継機５−１，５−２、ＰＯＳサーバ７およびＰＯＳレジスタ８とは有線ネットワークで接続されており、互いにデータ通信を行うことができる。また、アクセスポイント４と、中継機５−３およびハンディ端末６とは無線ＬＡＮなどの無線ネットワークで接続されており、互いにデータ通信を行うことができる。また、電子棚札端末１及び大型電子棚札端末２と中継機５−１〜５−３とは、近距離無線方式（例えば、ＩＥＥＥ８０２．１５．４）を用いた無線ネットワークで接続されており、互いにデータ通信を行うことができる。これにより、電子棚札端末１及び大型電子棚札端末２とＥＳＬサーバ３とは互いにデータ通信を行うことができる。また、ＥＳＬサーバ３とハンディ端末６とは互いにデータ通信を行うことができる。
【００２９】
なお、電子棚札端末１及び大型電子棚札端末２と中継機５−１〜５−３との間の無線ネットワークで近距離無線方式を用いることにより、電子棚札端末１及び大型電子棚札端末２を小型化および長電池寿命化することができ、電子棚札端末１及び大型電子棚札端末２と中継機５−１〜５−３との間の通信速度を高速化することができる。
【００３０】
電子棚札端末１は商品の価格や説明などを表示する。大型電子棚札端末２は、大型の液晶ディスプレイやタッチパネルなどを備え、商品の販売促進用の情報などを表示する。また、大型電子棚札端末２は、大型の液晶ディスプレイやタッチパネルなどを供えているため、一度に複数の商品の情報など、多量の情報を一度に表示することができる。
【００３１】
ＥＳＬサーバ３は電子棚札端末１と大型電子棚札端末２との管理を行う。アクセスポイント４と中継機５−１〜５−３とはデータ通信を中継する。ハンディ端末６は、ＥＳＬサーバ３に入力する情報を受け付け、この情報をＥＳＬサーバ３に送信する。ＰＯＳサーバ７は、商品の情報や、売り上げ情報などを管理する。ＰＯＳレジスタ８は、顧客が購入する商品の精算処理を行う。
【００３２】
次に、電子棚札端末１の構成について説明する。図２は、本実施形態における電子棚札端末１の構成を示したブロック図である。図示する例では、電子棚札端末１は、制御部１１と、表示部１２と、記憶部１３と、無線通信部１４と、電池１５とを備える。
【００３３】
制御部１１は、電子棚札端末１が備える各部の制御を行う。表示部１２は液晶表示装置などであり、商品の名前や商品の価格などを表示する。記憶部１３は、電子棚札端末１の各部が処理の途中で使用するデータを一時記憶する。無線通信部１４は、中継機５−１〜５−３を介して、ＥＳＬサーバ３とデータの送受信を行う。電池１５は、電子棚札端末１が備える各部に電力を供給する。
【００３４】
次に、大型電子棚札端末２の構成について説明する。図３は、本実施形態における大型電子棚札端末２の構成を示したブロック図である。図示する例では、大型電子棚札端末２は、制御部２１と、表示入力部２２と、記憶部２３と、無線通信部２４と、電池２５とを備える。
【００３５】
制御部２１は、大型電子棚札端末２が備える各部の制御を行う。表示入力部２２はタッチパネルなどであり、商品の販売促進用の情報などを表示し、ユーザからの入力を受け付ける。記憶部２３は、大型電子棚札端末２の各部が処理の途中で使用するデータを一時記憶する。無線通信部２４は、中継機５−１〜５−３を介して、ＥＳＬサーバ３とデータの送受信を行う。電池２５は、大型電子棚札端末２が備える各部に電力を供給する。
【００３６】
次に、ＥＳＬサーバ３の構成について説明する。図４は、本実施形態におけるＥＳＬサーバ３の構成を示したブロック図である。図示する例では、ＥＳＬサーバ３は、管理装置制御部３１と、管理装置記憶部３３（関連付け情報記憶部、カテゴリ情報記憶部、設置位置情報記憶部）と、管理装置通信部３４（管理装置受信部）とを備える。
【００３７】
管理装置制御部３１は、ＥＳＬサーバ３が備える各部の制御を行う。管理装置記憶部３３は管理情報データベースと、カテゴリ情報データベースと、上位カテゴリ１情報データベースと、上位カテゴリ２情報データベースと、上位カテゴリ３情報データベースとを記憶する。管理情報データベースと、カテゴリ情報データベースと、上位カテゴリ１情報データベースと、上位カテゴリ２情報データベースと、上位カテゴリ３情報データベースとについては後述する。管理装置通信部３４は、アクセスポイント４や中継機５−１〜５−３を介して、電子棚札端末１と、大型電子棚札端末２と、ハンディ端末６とデータの送受信を行う。
【００３８】
次に、ハンディ端末６の構成について説明する。図５は、本実施形態におけるハンディ端末６の構成を示したブロック図である。図示する例では、ハンディ端末６は、制御部６１と、表示部６２と、記憶部６３と、無線通信部６４（送信部）と、電池６５と、入力部６６とを備える。
【００３９】
制御部６１は、ハンディ端末６が備える各部の制御を行う。表示部６２は液晶表示装置などであり、入力部６６が入力を受け付けた情報を表示する。記憶部６３は、ハンディ端末６の各部が処理の途中で使用するデータを一時記憶する。無線通信部６４は、アクセスポイント４を介して、ＥＳＬサーバ３とデータの送受信を行う。電池６５は、ハンディ端末６が備える各部に電力を供給する。入力部６６は、バーコードリーダや入力ボタンなどを備え、ＥＳＬサーバ３に入力する情報を受け付ける。
【００４０】
次に、電子棚札端末１と大型電子棚札端末２とが設置される棚について説明する。図６は、本実施形態における電子棚札端末１と大型電子棚札端末２とが設置される棚の外観を示した概略図である。図示する例では、棚１０１と棚１０２とが示されている。
【００４１】
棚１０１は、商品を配置する棚板１１１〜棚板１１４を上から順に備えている。棚板１１１には左側から順に大型電子棚札端末２−１と電子棚札端末１−１〜１−２とが設置されている。また、棚板１１２には左側から順に電子棚札端末１−３〜１−６が設置されている。また、棚板１１３には左側から順に電子棚札端末１−７〜１−９が設置されている。また、棚板１１４には左側から順に電子棚札端末１−１０〜１−１１が設置されている。
【００４２】
棚１０２は、商品を配置する棚板１１５〜棚板１１８を上から順に備えている。棚板１１５には左側から順に電子棚札端末１−１２〜１−１４が設置されている。また、棚板１１６には左側から順に大型電子棚札端末２−２と電子棚札端末１−１５〜１−１７とが設置されている。また、棚板１１７には左側から順に電子棚札端末１−１８〜１−２０が設置されている。また、棚板１１８には左側から順に電子棚札端末１−２１〜１−２２が設置されている。
【００４３】
なお、棚１０１の棚番号を「Ａ」とする。また、棚１０２の棚番号を「Ｂ」とする。また、棚板１１１〜１１８を特定する情報を「段番号」とし、上から順に１番から番号を付ける。具体的には、棚板１１１，１１５の段番号を「１」とする。また、棚板１１２，１１６の段番号を「２」とする。また、棚板１１３，１１７の段番号を「３」とする。また、棚板１１４，１１８の段番号を「４」とする。
【００４４】
また、棚板１１１〜１１８の各段において、電子棚札端末１−１〜１−２２と大型電子棚札端末２−１，２−２とが設置されている位置を特定する情報を「列番号」とし、左側から順に１番から番号を付ける。具体的には、棚板１１１の一番左に設置されている大型電子棚札端末２−１の列番号を「１」とする。また、棚板１１１の左から２番目に設置されている電子棚札端末１−１の列番号を「２」とする。このように、全ての電子棚札端末１−１〜１−２２と大型電子棚札端末２−１，２−２とが設置されている位置に列番号が付けられている。
【００４５】
これにより、「棚番号」と「段番号」と「列番号」とで、電子棚札端末１−１〜１−２２と大型電子棚札端末２−１，２−２とが設置されている位置を一意に特定することができる。例えば、大型電子棚札端末２−１が設置されている位置は、棚番号「Ａ」と、段番号「１」と、列番号「１」とで一意に特定することができる。また、電子棚札端末１−１９が設置されている位置は、棚番号「Ｂ」と、段番号「３」と、列番号「２」とで一意に特定することができる。
【００４６】
次に、本実施形態におけるカテゴリの階層について説明する。本実施形態では、商品はいずれかのカテゴリに属している。また、カテゴリはいずれかの上位カテゴリ１に属している。また、上位カテゴリ１はいずれかの上位カテゴリ２に属している。また、上位カテゴリ２はいずれかの上位カテゴリ３に属している。また、本実施形態のカテゴリおよび上位カテゴリは、階層が近づくにつれてカテゴリおよび上位カテゴリ間の関連性は高くなり、階層が離れるにつれてカテゴリおよび上位カテゴリ間の関連性は低くなる。
【００４７】
図７は、本実施形態におけるカテゴリの階層構造を示した階層構造図である。図示する例では、カテゴリとして、「フランスワイン」６０１と、「イタリアワイン」６０２と、「エールビール」６０３と、「ラガービール」６０４とが示されている。また、上位カテゴリ１として、「ワイン」６０５と「ビール」６０６とが示されている。また、上位カテゴリ２として、「飲料」６０７と「野菜」６０８とが示されている。また、上位カテゴリ３として「店」６０９が示されている。
【００４８】
また、カテゴリ「フランスワイン」６０１と「イタリアワイン」６０２とは、上位カテゴリ１「ワイン」６０５に属している。また、カテゴリ「エールビール」６０３と「ラガービール」６０４とは、上位カテゴリ１「ビール」に属している。
【００４９】
また、上位カテゴリ１「ワイン」６０５と「ビール」６０６とは、上位カテゴリ２「飲料」６０７に属している。また、上位カテゴリ２「飲料」６０７と「野菜」６０８とは、上位カテゴリ３「店」６０９に属している。
【００５０】
次に、ＥＳＬサーバ３の管理装置記憶部３３が記憶する管理情報データベースについて説明する。図８は、本実施形態におけるＥＳＬサーバ３の管理装置記憶部３３が記憶する管理情報データベースのデータ構造を示した概略図である。
【００５１】
管理情報データベースは表形式のデータ構造を有しており、「商品コード」と、「商品名」と、「価格」と、「棚札コード」と、「大型棚札コード」と、「大型棚札設置位置」と、「カテゴリ」とのデータ項目を有する。また、管理情報データベースは、各データ項目の情報を行毎に関連付けて記憶している。
【００５２】
「商品コード」は、商品の種類を一意に特定する識別子である。「商品名」は、商品の名称である。「価格」は商品の価格である。「棚札コード」は、電子棚札システムに含まれる電子棚札端末１を一意に特定する識別子である。「大型棚札コード」は、電子棚札システムに含まれる大型電子棚札端末２を一意に特定する識別子である。「大型棚札設置位置」は、大型電子棚札端末２が設置されている位置を示す。図示する例では、「大型棚札設置位置」は、「棚番号」と、「段番号」と、「列番号」とを含んでいる。なお、本実施形態では上述したとおり、「棚番号」と、「段番号」と、「列番号」とで大型電子棚札端末２が設置されている位置を一意に特定することができる。「カテゴリ」は、商品が属しているカテゴリである。
【００５３】
次に、管理情報データベースの各行が示す内容について説明する。例えば、行７０１に示す例では、商品コード「１０５０１」で特定される商品の商品名は「ワインＡ」であり、価格は「１４２０」であることを示している。
【００５４】
また、商品コード「１０５０１」で特定される商品は、棚札コード「Ｃ２０００００１」で特定される電子棚札端末１と関連付けられており、商品コード「１０５０１」で特定される商品名と価格とは、棚札コード「Ｃ２０００００１」で特定される電子棚札端末１が表示することを示している。また、棚札コード「Ｃ２０００００１」で特定される電子棚札端末１は、大型棚札コード「Ｃ４００００７５」で特定される大型電子棚札端末２に関連付けられていることを示している。また、大型棚札コード「Ｃ４００００７５」で特定される大型電子棚札端末２は、棚番号「Ａ」と、段番号「１」と、列番号「１」とで特定される位置に設置されていることを示している。また、商品コード「１０５０１」で特定される商品は、カテゴリ「フランスワイン」に属していることを示している。なお、他の行が示す内容については図示するとおりである。
【００５５】
次に、ＥＳＬサーバ３の管理装置記憶部３３が記憶するカテゴリ情報データベースについて説明する。図９は本実施形態におけるＥＳＬサーバ３の管理装置記憶部３３が記憶するカテゴリ情報データベースのデータ構造を示した概略図である。カテゴリ情報データベースは表形式のデータ構造を有しており、「カテゴリ」と、「関連詳細情報」（カテゴリに関連する情報）と、「上位カテゴリ１」とのデータ項目を有する。また、カテゴリ情報データベースは、各データ項目の情報を行毎に関連付けて記憶している。
【００５６】
「カテゴリ」は、商品が属しているカテゴリである。「関連詳細情報」は、カテゴリに関連する詳細な情報である。「上位カテゴリ１」は、カテゴリが属している１つ上位の上位カテゴリである。
【００５７】
次に、カテゴリ情報データベースの各行が示す内容について説明する。例えば、行８０１に示す例では、カテゴリ「フランスワイン」に関連する関連詳細情報は、「最上のフランスワインは世界の規範とされています」であることを示している。また、カテゴリ「フランスワイン」は上位カテゴリ１「ワイン」に属していることを示している。なお、他の行が示す内容については図示するとおりである。
【００５８】
次に、ＥＳＬサーバ３の管理装置記憶部３３が記憶する上位カテゴリ１情報データベースについて説明する。図１０は本実施形態におけるＥＳＬサーバ３の管理装置記憶部３３が記憶する上位カテゴリ１情報データベースのデータ構造を示した概略図である。上位カテゴリ１情報データベースは表形式のデータ構造を有しており、「上位カテゴリ１」と、「関連詳細情報」（カテゴリに関連する情報）と、「上位カテゴリ２」とのデータ項目を有する。また、上位カテゴリ１情報データベースは、各データ項目の情報を行毎に関連付けて記憶している。
【００５９】
「上位カテゴリ１」は、カテゴリが属している１つ上位の上位カテゴリである。「関連詳細情報」は、上位カテゴリ１に関連する詳細な情報である。「上位カテゴリ２」は、上位カテゴリ１が属している１つ上位の上位カテゴリである。
【００６０】
次に、上位カテゴリ１情報データベースの各行が示す内容について説明する。例えば、行９０１に示す例では、上位カテゴリ１「ワイン」に関連する関連詳細情報は、「主としてブドウの果汁を発酵させたアルコール飲料です」であることを示している。また、上位カテゴリ１「ワイン」は上位カテゴリ２「飲料」に属していることを示している。なお、他の行が示す内容については図示するとおりである。
【００６１】
次に、ＥＳＬサーバ３の管理装置記憶部３３が記憶する上位カテゴリ２情報データベースについて説明する。図１１は本実施形態におけるＥＳＬサーバ３の管理装置記憶部３３が記憶する上位カテゴリ２情報データベースのデータ構造を示した概略図である。上位カテゴリ２情報データベースは表形式のデータ構造を有しており、「上位カテゴリ２」と、「関連詳細情報」（カテゴリに関連する情報）と、「上位カテゴリ３」とのデータ項目を有する。また、上位カテゴリ２情報データベースは、各データ項目の情報を行毎に関連付けて記憶している。
【００６２】
「上位カテゴリ２」は、上位カテゴリ１が属している１つ上位の上位カテゴリである。「関連詳細情報」は、上位カテゴリ２に関連する詳細な情報である。「上位カテゴリ３」は、上位カテゴリ２が属している１つ上位の上位カテゴリである。
【００６３】
次に、上位カテゴリ２情報データベースの各行が示す内容について説明する。例えば、行１００１に示す例では、上位カテゴリ２「飲料」に関連する関連詳細情報は、「清涼飲料、乳酸菌飲料など各種豊富に取りそろえております」であることを示している。また、上位カテゴリ２「飲料」は上位カテゴリ３「店」に属していることを示している。なお、他の行が示す内容については図示するとおりである。
【００６４】
次に、ＥＳＬサーバ３の管理装置記憶部３３が記憶する上位カテゴリ３情報データベースについて説明する。図１２は本実施形態におけるＥＳＬサーバ３の管理装置記憶部３３が記憶する上位カテゴリ３情報データベースのデータ構造を示した概略図である。上位カテゴリ３情報データベースは表形式のデータ構造を有しており、「上位カテゴリ３」と、「関連詳細情報」（カテゴリに関連する情報）とのデータ項目を有する。また、上位カテゴリ３情報データベースは、各データ項目の情報を行毎に関連付けて記憶している。
【００６５】
「上位カテゴリ３」は、上位カテゴリ２が属している１つ上位の上位カテゴリである。「関連詳細情報」は、上位カテゴリ３に関連する詳細な情報である。
【００６６】
次に、上位カテゴリ３情報データベースの各行が示す内容について説明する。例えば、行１１０１に示す例では、上位カテゴリ３「店」に関連する関連詳細情報は、「地域で品質・価格・サービスＮｏ１」であることを示している。
【００６７】
次に、電子棚札端末１の表示部１２が表示する画面例について図１３に基づいて説明する。電子棚札端末１の表示部１２が画面を表示する方法としては、ＥＳＬサーバ３が図１３に示す商品名などを含んだ画像を表示するための画像データを作成して電子棚札端末１に送信し、電子棚札端末１の表示部１２が、送信された画像データに基づいた画像を表示する方法がある。なお、電子棚札端末１の表示部１２が画面を表示する方法はこの方法に限らず、どのような方法を用いてもよい。例えば、ＥＳＬサーバ３が図１３に示す画面に含まれる商品名などの各種の情報を電子棚札端末１に送信し、電子棚札端末１の制御部１１が、送信された情報に基づいて図１３に示す商品名などを含んだ画像を表示するための画像データを作成し、表示部１２がこの画像データに基づいた画像を表示する方法を用いてもよい。
【００６８】
図１３は、本実施形態における電子棚札端末１の表示部１２が「通常情報表示画面」を表示している場合の電子棚札端末１の外観を示した概略図である。電子棚札端末１の前面には、表示部１２と、バーコード１７とが設けられている。バーコード１７は、棚札コードを示すバーコードである。表示部１２は、「通常情報表示画面」を表示する。「通常情報表示画面」は、商品名と価格とを含む。
【００６９】
図示する例では、電子棚札端末１の表示部１２は、商品名として「ワインＡ」を表示し、価格として「１４２０円」を表示している。これは、ＥＳＬサーバ３の管理装置記憶部３３が記憶する管理情報データベースの行７０１の情報に基づいた表示である。
【００７０】
次に、大型電子棚札端末２の表示入力部２２が表示する画面例について図１４に基づいて説明する。大型電子棚札端末２の表示入力部２２が画面を表示する方法としては、ＥＳＬサーバ３が図１４に示す商品名などを含んだ画像を表示するための画像データを作成して大型電子棚札端末２に送信し、大型電子棚札端末２の表示入力部２２が、送信された画像データに基づいた画像を表示する方法がある。なお、大型電子棚札端末２の表示入力部２２が画面を表示する方法はこの方法に限らず、どのような方法を用いてもよい。例えば、ＥＳＬサーバ３が図１４に示す画面に含まれる商品名などの各種の情報を大型電子棚札端末２に送信し、大型電子棚札端末２の制御部２１が、送信された情報に基づいて図１４に示す商品名などを含んだ画像を表示するための画像データを作成し、表示入力部２２がこの画像データに基づいた画像を表示する方法を用いてもよい。
【００７１】
図１４は、本実施形態における大型電子棚札端末２の表示入力部２２が「関連詳細情報表示画面」を表示している場合の大型電子棚札端末２の外観を示した概略図である。大型電子棚札端末２の前面には、表示入力部２２と、バーコード２７とが設けられている。バーコード２７は、大型棚札コードを示すバーコードである。表示入力部２２は、「関連詳細情報表示画面」を表示する。「関連詳細情報表示画面」は、関連詳細情報を含む。
【００７２】
図示する例では、大型電子棚札端末２の表示入力部２２は、関連詳細情報として「最上のフランスワインは世界の規範とされています」を表示している。これは、カテゴリ情報データベースが記憶する行８０１の情報に基づいた表示である。
【００７３】
次に、ＥＳＬサーバ３が、大型電子棚札端末２に情報を表示させる手順について説明する。図１５は、本実施形態におけるＥＳＬサーバ３が、大型電子棚札端末２に関連詳細情報を表示させる手順を示したフローチャートである。
【００７４】
（ステップＳ１０１）ユーザは、ハンディ端末６の入力部６６が備えるバーコードリーダに、関連付けを行う商品に付されているバーコードを読み取らせる。ハンディ端末６の制御部６１は、読み取ったバーコードから商品コードを取得する。ハンディ端末６の無線通信部６４は、取得した商品コードをＥＳＬサーバ３に送信する。ＥＳＬサーバ３の管理装置通信部３４は、ハンディ端末６から送信される商品コードを受信する。その後、ステップＳ１０２の処理に進む。
【００７５】
（ステップＳ１０２）ユーザは、ハンディ端末６の入力部６６が備えるバーコードリーダに、関連付けを行う電子棚札端末１または大型電子棚札端末２に付されているバーコードを読み取らせる。ハンディ端末６の制御部６１は、読み取ったバーコードから電子棚札端末１の棚札コードまたは大型電子棚札端末２の大型棚札コードを取得する。ハンディ端末６の無線通信部６４は、取得した棚札コードまたは大型棚札コードをＥＳＬサーバ３に送信する。ＥＳＬサーバ３の管理装置通信部３４は、ハンディ端末６から送信される棚札コードまたは大型棚札コードを受信する。続いて、ＥＳＬサーバ３の管理装置制御部３１は、ステップＳ１０１で受信した商品コードに、受信した棚札コードまたは大型棚札コードを関連付けて、管理装置記憶部２３が記憶する管理情報データベースに記憶させる。これにより、商品（商品を一意に特定する商品コード）が電子棚札端末１または大型電子棚札端末２にリンクされる（関連付けられる）。その後、ステップＳ１０３の処理に進む。
【００７６】
（ステップＳ１０３）ＥＳＬサーバ３の管理装置制御部３１は、ステップＳ１０１で受信した商品コードで一意に特定される商品が大型電子棚札端末２にリンクされたか否かを判定する。具体的には、ＥＳＬサーバ３の管理装置制御部３１は、ステップＳ１０２において、ステップＳ１０１で受信した商品コードを大型棚札コードに関連付けて管理装置記憶部２３が記憶する管理情報データベースに記憶させた場合には、ステップＳ１０１で受信した商品コードの商品が大型電子棚札端末２にリンクされたと判定する。ＥＳＬサーバ３の管理装置制御部３１は、ステップＳ１０１で受信した商品コードの商品が大型電子棚札端末２にリンクされたと判定した場合にはステップＳ１０５の処理に進み、それ以外の場合にはステップＳ１０４の処理に進む。
【００７７】
（ステップＳ１０４）ＥＳＬサーバ３の管理装置制御部３１は、電子棚札端末１に、今まで通り価格などを含む情報（通常情報）を表示させる。その後、処理を終了する。ステップＳ１０４で、ＥＳＬサーバ３の管理装置制御部３１が電子棚札端末１に表示させる画面は、例えば図１３に示した通常情報表示画面である。
【００７８】
（ステップＳ１０５）ＥＳＬサーバ３の管理装置制御部３１は、ステップＳ１０１で受信した商品コードに関連付けられているカテゴリを、管理装置記憶部３３が記憶する管理情報データベースから読み出す。その後、ステップＳ１０６の処理に進む。例えば、ステップＳ１０１で受信した商品コードが「１０５０１」である場合には、ＥＳＬサーバ３の管理装置制御部３１は、管理装置記憶部３３が記憶する管理情報データベースから、カテゴリ「フランスワイン」を読み出す。
【００７９】
（ステップＳ１０６）ＥＳＬサーバ３の管理装置制御部３１は、管理装置記憶部３３が記憶する管理情報データベースを検索して、ステップＳ１０２で受信した大型棚札コードに関連付けられている商品を検出する。その後、ステップＳ１０７の処理に進む。例えば、ステップＳ１０２で受信した大型棚札コードが「Ｃ４００００７５」である場合には、ＥＳＬサーバ３の管理装置制御部３１は、管理装置記憶部３３が記憶する管理情報データベースを検索し、商品「ワインＡ」と「ワインＢ」とを検出する。
【００８０】
（ステップＳ１０７）ＥＳＬサーバ３の管理装置制御部３１は、ステップＳ１０６で検出した結果に基づいて、ステップＳ１０２で受信した大型棚札コードに関連付けられている商品が、ステップＳ１０１で受信した商品コードで特定される商品の他に存在するか否かを判定する。ＥＳＬサーバ３の管理装置制御部３１は、ステップＳ１０２で受信した大型棚札コードに関連付けられている商品が、ステップＳ１０１で受信した商品コードで特定される商品の他に存在すると判定した場合にはステップＳ１０８の処理に進み、それ以外の場合にはステップＳ１１４の処理に進む。
【００８１】
（ステップＳ１０８）ＥＳＬサーバ３の管理装置制御部３１は、ステップＳ１０２で受信した大型棚札コードに関連付けられている商品のうち、ステップＳ１０１で受信した商品コードで特定される商品以外の商品に関連付けられているカテゴリを、管理装置記憶部３３が記憶する管理情報データベースから読み出す。その後、ステップＳ１０９の処理に進む。
【００８２】
例えば、ステップＳ１０２で受信した大型棚札コードが「Ｃ４００００７５」であり、ステップＳ１０１で受信した商品コードが「１０５０１」である場合には、ステップＳ１０２で受信した大型棚札コードに関連付けられている商品のうち、ステップＳ１０１で受信した商品コードで特定される商品以外の商品は「ワインＢ」であるため、ＥＳＬサーバ３の管理装置制御部３１は、管理装置記憶部３３が記憶する管理情報データベースから、「ワインＢ」に関連付けられているカテゴリ「フランスワイン」を読み出す。
【００８３】
なお、ステップＳ１０２で受信した大型棚札コードに関連付けられている商品のうち、ステップＳ１０１で受信した商品コードで特定される商品以外の商品が複数存在する場合には、各商品に関連付けられているそれぞれのカテゴリを全て読み出す。
【００８４】
（ステップＳ１０９）ＥＳＬサーバ３の管理装置制御部３１は、ステップＳ１０５で読み出したカテゴリと、ステップＳ１０８で読み出したカテゴリとは全て同一であるか否かを判定する。ＥＳＬサーバ３の管理装置制御部３１は、ステップＳ１０５で読み出したカテゴリと、ステップＳ１０８で読み出したカテゴリとは全て同一であると判定した場合にはステップＳ１１４の処理に進み、それ以外の場合にはステップＳ１１０の処理に進む。
【００８５】
（ステップＳ１１０）ＥＳＬサーバ３の管理装置制御部３１は、ステップＳ１０９で判定に用いた各カテゴリがそれぞれ属する上位カテゴリ１を管理装置記憶部３３が記憶するカテゴリ情報データベースから読み出す。その後、ステップＳ１１１の処理に進む。例えば、ステップＳ１０９で判定に用いたカテゴリがカテゴリ「フランスワイン」である場合には、ＥＳＬサーバ３の管理装置制御部３１は、管理装置記憶部３３が記憶するカテゴリ情報データベースから、上位カテゴリ１「ワイン」を読み出す。なお、ステップＳ１０９で判定に用いたカテゴリが複数存在する場合は、各カテゴリが属するそれぞれの上位カテゴリ１を全て読み出す。
【００８６】
（ステップＳ１１１）ＥＳＬサーバ３の管理装置制御部３１は、１つ前のステップで読み出した全ての上位カテゴリは同一であるか否かを判定する。ＥＳＬサーバ３の管理装置制御部３１は、１つ前のステップで読み出した全ての上位カテゴリは同一であると判定した場合にはステップＳ１１３の処理に進み、それ以外の場合にはステップＳ１１２の処理に進む。
【００８７】
（ステップＳ１１２）ＥＳＬサーバ３の管理装置制御部３１は、ステップＳ１１１で判定に用いた各上位カテゴリが属する１つ上位の上位カテゴリを、管理装置記憶部３３が記憶する上位カテゴリ情報データベースから読み出す。その後、ステップＳ１１１の処理に戻る。例えば、ステップＳ１１１で判定に用いた上位カテゴリ１が「ワイン」である場合には、ＥＳＬサーバ３の管理装置制御部３１は、管理装置記憶部３３が記憶する上位カテゴリ１情報データベースから、上位カテゴリ２「飲料」を読み出す。なお、ステップＳ１１１で判定に用いた上位カテゴリが複数存在する場合は、各上位カテゴリが属する１つ上位の上位カテゴリを全て読み出す。
【００８８】
（ステップＳ１１３）ＥＳＬサーバ３の管理装置制御部３１は、ステップＳ１１１で同一と判定した上位カテゴリの関連詳細情報を上位カテゴリ情報データベースから読み出す。その後、ステップＳ１１５の処理に進む。例えば、ステップＳ１１１で同一と判定した上位カテゴリが上位カテゴリ１「ワイン」である場合には、ＥＳＬサーバ３の管理装置制御部３１は、管理装置記憶部３３が記憶する上位カテゴリ１情報データベースから、関連詳細情報「主としてブドウの果汁を発酵させたアルコール飲料です」を読み出す。また、ステップＳ１１１で同一と判定した上位カテゴリが上位カテゴリ２「飲料」である場合には、ＥＳＬサーバ３の管理装置制御部３１は、管理装置記憶部３３が記憶する上位カテゴリ２情報データベースから、関連詳細情報「清涼飲料、乳酸菌飲料など各種豊富に取りそろえております」を読み出す。
【００８９】
（ステップＳ１１４）ＥＳＬサーバ３の管理装置制御部３１は、ステップＳ１０５で読み出したカテゴリの関連詳細情報をカテゴリ情報データベースから読み出す。その後、ステップＳ１１５の処理に進む。例えば、ステップＳ１０５で読み出したカテゴリがカテゴリ「フランスワイン」である場合には、ＥＳＬサーバ３の管理装置制御部３１は、管理装置記憶部３３が記憶するカテゴリ情報データベースから、関連詳細情報「最上のワインは世界の規範とされています」を読み出す。
【００９０】
（ステップＳ１１５）ＥＳＬサーバ３の管理装置制御部３１は、ステップＳ１１３またはステップＳ１１４で読み出した関連詳細情報を、大型電子棚札端末２に表示させる。その後、処理を終了する。ステップＳ１１５でＥＳＬサーバ３の管理装置制御部３１が大型電子棚札端末２に表示させる画面は、例えば図１４に示した関連詳細情報表示画面である。
【００９１】
上述したとおり、本実施形態によれば、ＥＳＬサーバ２の管理装置制御部２１は、ハンディ端末６が読み取った商品に付されているバーコードと、大型情報表示装置に付されているバーコードに基づいて、大型電子棚札端末２と商品との関連づけを行う。また、ＥＳＬサーバ２の管理装置制御部２１は、大型電子棚札端末２に関連付けられている全ての商品が属するカテゴリのうち、最下層のカテゴリに関連付けられている関連詳細情報を、この大型電子棚札端末２に表示させる。
【００９２】
このように、ＥＳＬサーバ２の管理装置制御部２１は、組み合わせに含まれる全ての商品が属するカテゴリのうち最下層のカテゴリを特定し、特定したカテゴリに関連付けられている関連詳細情報を大型電子棚札端末２に表示させるため、複数の商品の組み合わせがどのような組み合わせであっても、全ての商品に関連し、全ての商品の説明により近い関連詳細情報を大型電子棚札端末２に表示させることができる。
【００９３】
よって、ユーザは、複数の商品の組み合わせに関連する関連詳細情報を大型電子棚札端末２に表示させたい場合、組み合わせる商品に付されているバーコードと、表示させたい大型電子棚札端末２に付されているバーコードとをハンディ端末６に読み取らせるだけで、複数の商品の組み合わせに関連する関連詳細情報を容易に大型電子棚札端末２に表示させることができる。
【００９４】
（第２の実施形態）
次に、本発明の第２の実施形態について説明する。本実施形態では、ＥＳＬサーバ３は、特定の位置に設置されている大型電子棚札端末２には、大型電子棚札端末２の設置位置に関連する表示情報を表示させるように制御する。例えば、ＥＳＬサーバ３は、店舗の入り口近くに設置されている大型電子棚札端末２にはバーゲン情報を表示させるように制御する。
【００９５】
なお、本実施形態における電子棚札システムを含んだ販売店システムの構成は、第１の実施形態における電子棚札システムを含んだ販売店システムの構成と同様の構成である。また、本実施形態における電子棚札端末１の構成は、第１の実施形態における電子棚札端末１の構成と同様の構成である。また、本実施形態における大型電子棚札端末２の構成は、第１の実施形態における大型電子棚札端末２の構成と同様の構成である。また、本実施形態におけるＥＳＬサーバ３の構成は、第１の実施形態におけるＥＳＬサーバ３の構成と同様の構成である。また、本実施形態におけるハンディ端末６の構成は、第１の実施形態におけるハンディ端末６の構成と同様の構成である。また、本実施形態における棚１０１，１０２の外観は、第１の実施形態における棚１０１，１０２の外観と同様の外観である。
【００９６】
次に、ＥＳＬサーバ３の管理装置記憶部３３が記憶する大型棚札情報データベースについて説明する。図１６は、本実施形態におけるＥＳＬサーバ３の管理装置記憶部３３が記憶する大型棚札情報データベースのデータ構造を示した概略図である。
【００９７】
大型棚札情報データベースは表形式のデータ構造を有しており、「大型棚札設置位置」と、「情報」（設置位置に関連する表示情報）とのデータ項目を有する。また、大型棚札情報データベースは、各データ項目の情報を行毎に関連付けて記憶している。
【００９８】
「大型棚札設置位置」は、大型電子棚札端末２が設置されている位置を示す。図示する例では、「大型棚札設置位置」は、「棚番号」と、「段番号」と、「列番号」とを含んでいる。「棚番号」と、「段番号」と、「列番号」とで大型電子棚札端末２が設置されている位置を一意に特定することができる。「情報」は、大型棚札設置位置で特定される位置に設置されている大型電子棚札端末２に表示させる情報（設置位置に関連する表示情報）である。
【００９９】
次に、大型棚札情報データベースの各行が示す内容について説明する。例えば、行１５０１に示す例では、棚番号「Ａ」と、段番号「１」と、列番号「１」とで特定される位置に設置されている大型電子棚札端末２に表示させる情報は「日曜日までの特価セール実施中」であることを示している。
【０１００】
なお、本実施形態におけるＥＳＬサーバ３の管理装置記憶部３３は、第１の実施形態におけるＥＳＬサーバ３の管理装置記憶部３３と同様に、管理情報データベースと、カテゴリ情報データベースと、上位カテゴリ１情報データベースと、上位カテゴリ２情報データベースと、上位カテゴリ３情報データベースとを記憶している。
【０１０１】
次に、大型電子棚札端末２の表示入力部２２が表示する画面例について図１７に基づいて説明する。図１７は、本実施形態における大型電子棚札端末２の表示入力部２２が「バーゲン情報表示画面」を表示している場合の大型電子棚札端末２の外観を示した概略図である。大型電子棚札端末２の前面には、表示入力部２２と、バーコード２７とが設けられている。表示入力部２２は「バーゲン情報表示画面」を表示する。「バーゲン情報表示画面」は、設置位置に関連する表示情報を含む。
【０１０２】
図示する例では、大型電子棚札端末２の表示入力部２２は、設置位置に関連する表示情報として「日曜日までの特価セール実施中」を表示している。これは、大型棚札情報データベースが記憶する行１５０１の情報に基づいた表示である。
【０１０３】
次に、ＥＳＬサーバ３が、大型電子棚札端末２に情報を表示させる手順について説明する。図１８は、本実施形態におけるＥＳＬサーバ３が、大型電子棚札端末２に設置位置に関連する表示情報を表示させる手順を示したフローチャートである。
【０１０４】
（ステップＳ２０１）ユーザは、ハンディ端末６の入力部６６が備えるバーコードリーダに、関連付けを行う商品に付されているバーコードを読み取らせる。ハンディ端末６の制御部６１は、読み取ったバーコードから商品コードを取得する。ハンディ端末６の無線通信部６４は、取得した商品コードをＥＳＬサーバ３に送信する。ＥＳＬサーバ３の管理装置通信部３４は、ハンディ端末６から送信される商品コードを受信する。その後、ステップＳ２０２の処理に進む。
【０１０５】
（ステップＳ２０２）ユーザは、ハンディ端末６の入力部６６が備えるバーコードリーダに、関連付けを行う大型電子棚札端末２に付されているバーコードを読み取らせる。ハンディ端末６の制御部６１は、読み取ったバーコードから大型電子棚札端末２の大型棚札コードを取得する。ハンディ端末６の無線通信部６４は、取得した大型棚札コードをＥＳＬサーバ３に送信する。ＥＳＬサーバ３の管理装置通信部３４は、ハンディ端末６から送信される大型棚札コードを受信する。続いて、ＥＳＬサーバ３の管理装置制御部３１は、ステップＳ１０１で受信した商品コードに受信した大型棚札コードを関連付けて管理装置記憶部２３が記憶する管理情報データベースに記憶させる。これにより、商品（商品を一意に特定する商品コード）が大型電子棚札端末２にリンクされる（関連付けられる）。その後、ステップＳ２０３の処理に進む。
【０１０６】
（ステップＳ２０３）ＥＳＬサーバ３の管理装置制御部３１は、管理装置記憶部３３が記憶する管理情報データベースを検索して、ステップＳ２０２で受信した大型棚札コードに大型棚札設置位置が関連付けられて記憶されているか否かを判定する。ＥＳＬサーバ３の管理装置制御部３１は、ステップＳ２０２で受信した大型棚札コードに大型棚札設置位置が関連付けられて記憶されていると判定した場合にはステップＳ２０４の処理に進み、それ以外の場合にはステップＳ２０７の処理に進む。
【０１０７】
例えば、ステップＳ２０２で受信した大型棚札コードが「Ｃ４００００７５」である場合、管理装置記憶部３３が記憶する管理情報データベースには大型棚札コード「Ｃ４００００７５」と大型棚札設置位置「棚番号Ａ、段番号１、列番号１」とが関連付けられて記憶されているため、ＥＳＬサーバ３の管理装置制御部３１は、ステップＳ２０２で受信した大型棚札コードに大型棚札設置位置が関連付けられて記憶されていると判定する。
【０１０８】
（ステップＳ２０４）ＥＳＬサーバ３の管理装置制御部３１は、管理装置記憶部３３が記憶する大型棚札情報データベースを検索して、ステップＳ２０２で受信した大型棚札コードに関連付けられている大型棚札設置位置が、大型棚札情報データベースに記憶されているか否かを判定する。ＥＳＬサーバ３の管理装置制御部３１は、ステップＳ２０２で受信した大型棚札コードに関連付けられている大型棚札設置位置が、大型棚札情報データベースに記憶されていると判定した場合にはステップＳ２０５の処理に進み、それ以外の場合にはステップＳ２０７の処理に進む。
【０１０９】
例えば、ステップＳ２０２で受信した大型棚札コード「Ｃ４００００７５」に関連付けられている大型棚札設置位置が「棚番号Ａ、段番号１、列番号１」である場合、管理装置記憶部３３が記憶する大型棚札情報データベースには大型棚札設置位置「棚番号Ａ、段番号１、列番号１」が記憶されているため、ＥＳＬサーバ３の管理装置制御部３１は、ステップＳ２０２で受信した大型棚札コードに関連付けられている大型棚札設置位置が、大型棚札情報データベースに記憶されていると判定する。
【０１１０】
（ステップＳ２０５）ＥＳＬサーバ３の管理装置制御部３１は、ステップＳ２０２で受信した大型棚札コードに関連付けられている大型棚札設置位置に関連付けられている情報（設置位置に関連する表示情報）を大型棚札情報データベースから読み出す。その後、ステップＳ２０６の処理に進む。
【０１１１】
例えば、ステップＳ２０２で受信した大型棚札コードに関連付けられている大型棚札設置位置が「棚番号Ａ、段番号１、列番号１」である場合、ＥＳＬサーバ３の管理装置制御部３１は、管理装置記憶部３３が記憶する大型棚札情報データベースから、設置位置に関連する表示情報「日曜日までの特価セール実施中」を読み出す。
【０１１２】
（ステップＳ２０６）ＥＳＬサーバ３の管理装置制御部３１は、ステップＳ２０５で読み出した情報を大型電子棚札端末２に表示させる。その後、処理を終了する。ステップＳ２０５で、ＥＳＬサーバ３の管理装置制御部３１が、大型電子棚札端末２に表示させる画面は、例えば図１７に示したバーゲン情報表示画面である。
【０１１３】
（ステップＳ２０７）ＥＳＬサーバ３の管理装置制御部３１は、大型電子棚札端末２に関連詳細情報を表示させる。その後、処理を終了する。なお、ステップＳ２０７の処理は、第１の実施形態における関連詳細情報を表示させる処理（ステップＳ１０３〜ステップＳ１１５の処理）と同様の処理である。
【０１１４】
上述したとおり、本実施形態によれば、ＥＳＬサーバ２の管理装置制御部２１は、大型電子棚札端末２が設置されている位置に関連する表示情報が存在する場合、この大型電子棚札端末２に、設置されている位置に関連する表示情報を表示させる。
【０１１５】
これにより、店舗の入り口や特定のコーナーなどに設置されている大型電子棚札端末２に、設置されている位置に関連する表示情報を表示させることができる。
【０１１６】
なお、上述した第１の実施形態および第２の実施形態では、１つのカテゴリおよび１つの上位カテゴリには、１つの関連詳細情報が関連付けられているがこれに限らない。例えば、１つのカテゴリおよび１つの上位カテゴリに、複数の関連詳細情報が関連付けられていても良い。そして、大型電子棚札端末２に、一定時間毎に１つずつ順に関連詳細情報を表示させるようにしてもよく、また、大型電子棚札端末２に表示させる関連詳細情報をユーザが任意に選択できるようにしてもよい。
【０１１７】
以下、カテゴリ「フランスワイン」に関連詳細情報「最上のフランスワインは世界の規範とされています」と「フランスワインセール開催中！！」とが関連付けられている場合において、一定時間毎に１つずつ順に関連詳細情報を表示させる具体例について説明する。
【０１１８】
この場合、ＥＳＬサーバ３の管理装置制御部３１は、大型電子棚札端末２に、関連詳細情報表示画面として、図１４に示した関連詳細情報表示画面「最上のフランスワインは世界の規範とされています」と、図１９に示す関連詳細情報表示画面「フランスワインセール開催中！！」とを一定時間毎に交互に表示させる。
【０１１９】
図１９は、大型電子棚札端末２の表示入力部２２が、「関連詳細情報表示画面」を表示している場合の大型電子棚札端末２の外観を示した概略図である。「関連詳細情報表示画面」は、関連詳細情報を含む。図示する例では、大型電子棚札端末２の表示入力部２２は、関連詳細情報として「フランスワインセール開催中！！」を表示している。
【０１２０】
このように、一定時間毎に１つずつ順に関連詳細情報を大型電子棚札端末２に表示させることで、１つのカテゴリまたは１つの上位カテゴリに複数の関連詳細情報が関連付けられている場合においても、カテゴリまたは上位カテゴリに関連付けられている全ての関連詳細情報を大型電子棚札端末２に順に表示させることができる。
【０１２１】
また、以下、カテゴリ「フランスワイン」に関連詳細情報「最上のフランスワインは世界の規範とされています」と「フランスワインセール開催中！！」とが関連付けられている場合において、大型電子棚札端末２に表示させる関連詳細情報をユーザが任意に選択できるようにした場合の具体例について説明する。
【０１２２】
図２０は、大型電子棚札端末２に表示させる関連詳細情報をユーザが任意に設定できるようにした場合において、大型電子棚札端末２の表示入力部２２が「関連詳細情報選択画面」を表示している場合の大型電子棚札端末２の外観を示した概略図である。表示入力部２２は関連詳細情報選択画面を表示する。また、表示入力部２２は、タッチパネルであり、ユーザからの入力を受け付ける。「関連詳細情報選択画面」は、タイトルと、選択する関連詳細情報とが含まれる。
【０１２３】
なお、本実施形態では、大型電子棚札端末２が、「選択する関連詳細情報」の入力をユーザから受け付けるが、これに限らない。例えば、ハンディ端末６など他の装置が、「選択する関連詳細情報」の入力をユーザから受け付けるようにしてもよい。
【０１２４】
図示する例では、大型電子棚札端末２の表示入力部２２は、タイトルとして「棚札に表示する情報を選択してください」を表示し、選択する関連詳細情報として「情報１：最上のフランスワインは世界の・・・」と、「情報２：フランスワインセール開催中！！」とを表示している。この表示は、カテゴリ「フランスワイン」に関連付けられている関連詳細情報に基づいている。
【０１２５】
このとき、ユーザが「情報１：最上のフランスワインは世界の・・・」または「情報２：フランスワインセール開催中！！」のいずれかに触れた場合、大型電子棚札端末２は、触れられた方を示す情報をＥＳＬサーバ３に送信する。ＥＳＬサーバ３は、送信された触れられた方を示す情報に基づいて、大型電子棚札端末２に図１４に示した画面または図１９に示した画面のいずれかを表示させる。具体的には、ユーザが「情報１：最上のフランスワインは世界の・・・」を触れた場合、ＥＳＬサーバ３は大型電子棚札端末２に図１４に示した画面を表示させる。また、ユーザが「情報２：フランスワインセール開催中！！」を触れた場合、ＥＳＬサーバ３は大型電子棚札端末２に図１９に示した画面を表示させる。
【０１２６】
このように、大型電子棚札端末２に表示させる関連詳細情報をユーザが任意に選択できるようにすることで、１つのカテゴリまたは１つの上位カテゴリに複数の関連詳細情報が関連付けられている場合においても、大型電子棚札端末２に表示させる関連詳細情報を１つに特定することができる。また、ユーザは、大型電子棚札端末２に表示させたい関連詳細情報を任意に選択することができる。
【０１２７】
以上、図面を参照して本発明の実施形態について詳しく説明してきたが、具体的な構成は上述のものに限られることはなく、この発明の要旨を逸脱しない範囲内において様々な設計変更等をすることが可能である。
【０１２８】
例えば、上記の実施形態では、カテゴリの階層として「カテゴリ」と、「上位１カテゴリ」と、「上位２カテゴリ」と、「上位３カテゴリ」とを用いて説明したが、これに限らず、さらに上位のカテゴリを用いてもよい。また、上記の実施形態では、カテゴリに関連する情報として、関連詳細情報を用いて説明したが、これに限らず、どのような情報を用いてもよい。
【０１２９】
また、上記の実施形態では、電子棚札システムをスーパーマーケットやコンビニエンスストア等の小売店で用いる例に基づいて説明したが、本発明は上記に限られるものではない。例えば、銀行や倉庫などにおいて、電子棚札端末を各種の情報を表示する情報表示装置として用いてもよい。なお、情報表示装置の構成は電子棚札端末１の構成と同様の構成である。
【符号の説明】
【０１３０】
１，１−１〜１−２２・・・電子棚札端末、２，２−１〜２−２・・・大型電子棚札端末、３・・・ＥＳＬサーバ、４・・・アクセスポイント、５−１〜５−３・・・中継機、６・・・ハンディ端末、７・・・ＰＯＳサーバ、８・・・ＰＯＳレジスタ、１１，２１，６１・・・制御部、１２，６２・・・表示部、１３，２３，６３・・・記憶部、１４，２４，６４・・・無線通信部、１５，２５，６５・・・電池、１７，２７・・・バーコード、２２・・・表示入力部、３１・・・管理装置制御部、３３・・・管理装置記憶部、３４・・・管理装置通信部、６６・・・入力部、１００・・・バックヤード、１０１，１０２・・・棚、１１１〜１１８・・・棚板、２００・・・店舗
【図１】
2011096024.tif 000003
【図２】
2011096024.tif 000004
【図３】
2011096024.tif 000005
【図４】
2011096024.tif 000006
【図５】
2011096024.tif 000007
【図６】
2011096024.tif 000008
【図７】
2011096024.tif 000009
【図８】
2011096024.tif 000010
【図９】
2011096024.tif 000011
【図１０】
2011096024.tif 000012
【図１１】
2011096024.tif 000013
【図１２】
2011096024.tif 000014
【図１３】
2011096024.tif 000015
【図１４】
2011096024.tif 000016
【図１５】
2011096024.tif 000017
【図１６】
2011096024.tif 000018
【図１７】
2011096024.tif 000019
【図１８】
2011096024.tif 000020
【図１９】
2011096024.tif 000021
【図２０】
2011096024.tif 000022